(57)【要約】【課題】従来の冷蔵庫の製氷装置は、単独の給水管から全ての製氷区画へ給水する必要があり、そのための給水連結部を設ける必要があった。したがって、製氷皿を捻る離氷方式を採用しない場合には、複数の氷が連結して離氷される恐れがあった。【解決手段】給水手段３５と、製氷皿４０と、製氷皿４０を回転させる製氷メカ４１と、製氷メカ４１内に備えられたステッピングモータ４５と、製氷皿４０と製氷メカ４１が取り付けられたハウジング４３と、ハウジング４３に設けられた複数の給水口５４からなり、複数の給水口５４から製氷皿４０内の複数の製氷区画へ個別に給水することにより、独立した製氷を実現することができ、氷が連結したまま離氷落下することを防止できる。【選択図】図５
2013234811.tif 000002
【特許請求の範囲】
【請求項１】
冷蔵室内に配置された給水タンクと、前記給水タンクから水を送出する給水ポンプと、前記給水ポンプに接続され下方に水を搬出する給水パイプとからなる給水手段と、製氷室内に配置され、製氷皿と、前記製氷皿を回転駆動させる製氷メカと、前記製氷メカ内に備えられた駆動モータと、前記製氷メカに設けられ氷の有無を検知する検氷レバーと、前記製氷皿と前記製氷メカが取り付けられたハウジングと、前記ハウジングに設けられた複数の給水口とからなる製氷装置において、離氷動作を前記製氷皿を捻ることなく行い、かつ、前記製氷皿への給水を複数個所から行うことを特徴とした製氷装置。
【請求項２】
前記製氷皿は、両面に製氷部を備えたことを特徴とする請求項１に記載の製氷装置。
【請求項３】
前記駆動モータにステッピングモータを用い、給水後に前記製氷皿を揺動させることを特徴とする請求項１または２に記載の製氷装置。
【請求項４】
請求項１から３のいずれか一項に記載の製氷装置を備えた冷蔵庫。
【発明の詳細な説明】
【技術分野】
【０００１】
本発明は、家庭用冷凍冷蔵庫の製氷装置において、製氷された氷を効率的に製氷皿から離氷させる技術に関するものである。
【背景技術】
【０００２】
従来、この種の冷蔵庫の製氷装置としては、製氷皿の両面に製氷区画を設け、給水時の熱を利用して氷の離氷を容易にするものがある（例えば特許文献１参照）。
【０００３】
図１１、図１２、図１３は、特許文献１に記載された従来の製氷装置を示すものである。
【０００４】
図１１〜図１２において、製氷装置５７は冷凍冷蔵庫のフリーザ５８フリーザ５８内に配置されており、ハウジング５９を有している両面角氷トレイ６０を含んでいる。ハウジング５９の第一の側面６１には、第一の角氷キャビティ６２第一の角氷キャビティ６２が設けられている。ハウジング５９の第二の側面６３には、第二の角氷キャビティ６４が設けられている。
【０００５】
また製氷装置５７には、ブラケット６５によってフリーザ５８に取り付けられているソレノイド６６が設けられており、プランジャ６７、ピニオン６８、第一の端シャフト６９を介してハウジング５９を回転させる。
【０００６】
製氷装置５７には更に注水管７０を含んでおり、配管７１から供給された所定量の水を第一の角氷キャビティ６２、もしくは第二の角氷キャビティ６４に注水する。また、配管７１に近接して霜取り用のヒータ７２が配置されており、給水する水を適宜加熱する。
【０００７】
図１３に示す様に、第一の角氷キャビティ６２の側面７３と、第二の角氷キャビティ６４の側面７４は互いに隣接している。
【０００８】
配管７１及び注水管７０を経由して供給された水が第一の角氷キャビティ６２に貯水され、フリーザ５８内の冷気によって製氷される。製氷完了後、ソレノイド６６等の回転手段によってハウジング５９が回転し、第一の角氷キャビティ６２が下向きとなり、空の第二の角氷キャビティ６４は上向きになる。ここで、再度注水管７０から水が第二の角氷キャビティ６４に供給される。供給された水の熱は側面７３、側面７４を介して第一の角氷キャビティ６２内の氷に伝えられる。この熱により、第一の角氷キャビティ６２内の氷表面を融かし、氷を第一の角氷キャビティから離脱させることを助けるとしている。
【先行技術文献】
【特許文献】
【０００９】
【特許文献１】特開平８−１８９７３７号公報
【発明の概要】
【発明が解決しようとする課題】
【００１０】
しかしながら、前記従来の構成では、単独の注水管から全ての角氷キャビティに水を満たすために、角氷キャビティごとにハウジングに切り込みを設けるとしているのだが、角氷トレイを捻っての離氷方式ではないため、複数の氷が相互に繋がって離氷される場合がある。中型から大型の冷蔵庫に通常良く用いられる製氷方式では、アイスディスペンサ機構を用いたものは少なく、氷の移送の際に繋がった氷が分離されることは期待できない場
合が多い。
【００１１】
本発明は前記従来の課題を解決するもので、氷の連結を防止し、確実に離氷できる製氷装置と冷蔵庫を提供することを目的とする。
【課題を解決するための手段】
【００１２】
前記従来の課題を解決するために、本発明の製氷装置は、給水手段と、製氷皿と、前記製氷皿を回転させる製氷メカと、製氷メカ内に備えられた駆動モータと、前記製氷皿と前記製氷メカが取り付けられたハウジングと、前記ハウジングに設けられた複数の給水口からなる製氷装置において、離氷動作を前記製氷皿を捻ることなく行い、かつ、前記製氷皿への給水を複数個所から行うことにて、製氷する氷を個別に分離し、氷が連結したまま離氷落下することを防止することができる。
【発明の効果】
【００１３】
本発明の製氷装置は、氷の分離性を確保し確実な離氷が実現できる。
【図面の簡単な説明】
【００１４】
【図１】本発明の実施の形態１における製氷装置を備えた冷蔵庫の正面図
【図２】本発明の実施の形態１における製氷装置を備えた冷蔵庫の側面断面図
【図３】本発明の実施の形態１における給水手段及び製氷装置を示す要部断面図
【図４】本発明の実施の形態１における製氷装置の斜視図
【図５】本発明の実施の形態１における製氷装置の斜視分解図
【図６】本発明の実施の形態１における製氷装置の側面断面図
【図７】本発明の実施の形態１における製氷状態を示す製氷皿の要部断面図
【図８】本発明の実施の形態１における離氷状態を示す製氷皿の側面断面図
【図９】本発明の実施の形態２における製氷皿の要部斜視断面図
【図１０】本発明の実施の形態３における製氷皿の要部斜視断面図
【図１１】従来の製氷装置の側面断面図
【図１２】従来の製氷装置における製氷皿の平面図
【図１３】従来の製氷装置における離氷状態を示す製氷皿の側面断面図
【発明を実施するための形態】
【００１５】
第１の発明は、冷蔵室内に配置された給水タンクと、前記給水タンクから水を送出する給水ポンプと、前記給水ポンプに接続され下方に水を搬出する給水パイプとからなる給水手段と、製氷室内に配置され、製氷皿と、前記製氷皿を回転駆動させる製氷メカと、前記製氷メカ内に備えられた駆動モータと、前記製氷メカに設けられ氷の有無を検知する検氷レバーと、前記製氷皿と前記製氷メカが取り付けられたハウジングと、前記ハウジングに設けられた複数の給水口からなる製氷装置において、離氷動作を前記製氷皿を捻ることなく行い、かつ、前記製氷皿への給水を複数個所から行うものであり、氷の連結を防止し、確実に離氷できる製氷装置を提供することができる。
【００１６】
第２の発明は、第１の発明において、前記製氷皿は、両面に製氷部を備えたものであり、給水時の熱を利用して前記製氷皿を微小変形させ、捻り動作を行わずに離氷させることができる。
【００１７】
第３の発明は、第１または第２の発明において、前記駆動モータにステッピングモータを用いて、給水後に前記製氷皿を揺動させるものであり、各製氷区画の水量を均一に保ち、略同一の大きさの製氷を可能にしている。
【００１８】
第４の発明は、請求項１から３のいずれか一項に記載の製氷装置を備えた冷蔵庫であり
、氷の連結を防止し、確実に離氷できる製氷装置を備えた冷蔵庫を提供することができる。
【００１９】
以下、本発明の実施の形態について、図面を参照しながら説明する。なお、この実施の形態によって本発明が限定されるものではない。
【００２０】
（実施の形態１）
図１は、本発明の実施の形態１における冷蔵庫の正面図である。図２は、本発明の実施の形態１における冷蔵庫の側面断面図である。図３は、本発明の実施の形態１における給水手段及び製氷装置を示す要部断面図である。
【００２１】
図１〜図３において、冷蔵庫１には保存する食品の種類、期間によって最適に温度調節された貯蔵室、すなわち冷蔵温度に調整された冷蔵室２と、冷凍温度に調整された製氷室３と、上段冷凍室４と、下段冷凍室５と、冷蔵温度に調整された野菜室６が配置されている。
各貯蔵室には、貯蔵室の前面開口部を閉塞し食品の出し入れを可能にする扉、すなわち冷蔵室左扉７と、冷蔵室右扉８と、製氷室扉９と、上段冷凍室扉１０と、下段冷凍室扉１１と、野菜室扉１２が配置されている。この内、冷蔵室左扉７と冷蔵室左扉８は端部が軸支された回転式扉であり、他の製氷室扉９と、上段冷凍室扉１０と、下段冷凍室扉１１と、野菜室扉１２は手前方向に直線的に開閉できる引出式扉である。
【００２２】
冷蔵室２と製氷室３の間、また冷蔵室２と上段冷凍室４の間は、断熱性を有する第一の仕切壁１３で区切られている。また、同様に下段冷凍室５と野菜室６の間は、断熱性を有する第二の仕切壁１４で区切られている。さらに、製氷室３及び上段冷凍室４と下段冷凍室５は、断熱性を有する仕切体１５で区切られている。この仕切体１５は冷凍室の全幅に亘って設けられている。また図示しないが、製氷室３と上段冷凍室４間も仕切壁で区切られている。これら、製氷室３と、上段冷凍室４と、下段冷凍室５は、貯蔵空間としては区切られているが、貯蔵室内空気としては相互に連通しており、ほぼ同一の冷凍温度に調節されている。
【００２３】
冷蔵室２内には食品を載置する複数の冷蔵室棚１６が設けられ、冷蔵室左扉７及び冷蔵室右扉８には複数のドア棚１７が設けられている。また、製氷室３内には氷を貯蔵する貯氷ケース１８が設けられ、上段冷凍室４内には第一の冷凍ケース１９が設けられている。また、下段冷凍室５内には第二の冷凍ケース２０と第三の冷凍ケース２１が設けられており、第三の冷凍ケース２１は第二の冷凍ケース２０の上を前後方向に摺動可能な構造となっている。また、野菜室６内には第一の野菜ケース２２と第二の野菜ケース２３が設けられており、第二の野菜ケース２３は第一の野菜ケース２２の上を前後方向に摺動可能な構造となっている。
【００２４】
冷蔵庫１の背面上部には圧縮機２４が配置され、冷媒配管（図示せず）によって凝縮器（図示せず）、キャプラリチューブ（図示せず）、蒸発器２５と連結されている。また、蒸発器２５の下部には霜取ヒータ２６が備えられている。
【００２５】
蒸発器２５の前面は蒸発器カバー２７で覆われており、さらにその前方には冷凍室ダクト２８が配置されている。また、蒸発器カバー２７には各貯蔵室に冷気を送出する冷凍ファン２９が設けられている。第一の仕切壁１３内の後部には、冷蔵室２内への冷気の量を可変させる風路ダンパー３０が設けられている。また、冷蔵室２の背面には冷蔵室ダクト３１が設けられており、風路ダンパー３０を通過した冷気を冷蔵室２内に導入し、各冷蔵室棚１６間に向けて分配する機能を果たしている。また、野菜室６の背面には野菜室ダクト３２が設けられており、冷凍室ダクト２８の一部を通過した冷気を野菜室６内に導入す
る機能を果たす。
【００２６】
冷蔵庫１の下部には、霜取りヒータ２６により除霜された水を貯水し蒸発させる蒸発皿３３が配置されている。
【００２７】
冷蔵庫１の背面には制御基板３４が設けられており、圧縮機２４、冷凍室ファン２９、風路ダンパー３０、及び後述する給水手段３５と製氷装置３６とハーネス（図示せず）により電気的に接続されており、各デバイスの動作を制御する役割を果たしている。
【００２８】
給水手段３５は冷蔵室２の下部左側、第一の仕切壁１３の上に配置され、給水タンク３７と、給水ポンプ３８と、給水パイプ３９から構成されている。給水パイプ３９は給水ポンプ３８から下方に向けて配管され、第一の仕切壁１３内を通って製氷室３内に開口している。
【００２９】
製氷装置３６は製氷皿４０と、製氷皿４０を回転させる製氷メカ４１と、製氷メカに取り付けられて氷の貯蔵量を検知する検氷レバー４２と、製氷皿４０と製氷メカ４１を保持するハウジング４３から構成されている。
【００３０】
図４は、本発明の実施の形態１における製氷装置の斜視図である。図５は、本発明の実施の形態１における製氷装置の分解斜視図である。図６は、本発明の実施の形態１における製氷装置の側面断面図である。
【００３１】
図４〜６において、製氷メカ４１には、駆動軸４４と連結されたステッピングモータ４５が備えられており、駆動軸４４は製氷皿４０の後端に連結され、ステッピングモータ４５の動作に伴い製氷皿４０を回転させる。また、製氷皿４０の前端には軸４６が設けられており、ハウジング４３の軸受け部４７に挿入されている。
【００３２】
製氷皿４０は、複数の製氷区画からなる第一の製氷部４８と、同様に複数の製氷区画からなる第二の製氷部４９を備え、第一の製氷部４８と第二の製氷部４９の間には断熱部５０が設けられている。製氷皿４０の素材としては伝熱性の良好なものが好ましく、アルミもしくは良熱伝導性の樹脂を用いると良い。また、断熱部５０には発泡ポリエチレンなどの素材を封入しても良いし、空気層を形成しても良い。また、第一の製氷部４８と第二の製氷部４９内の複数の製氷区画内面には撥水処理が施されている。なお、第一の製氷部４８と、第二の製氷部４９の外周部５１は、各製氷区画間の仕切５２よりも高く設定されている。
【００３３】
ハウジング４３の天面には、給水パイプ３９からの水を受ける給水溝５３が形成されている。この給水溝５３には、第一の製氷部４８ないし第二の製氷部４９の各製氷区画に対応して複数の給水口５４が設けられており、各製氷区画への個別給水を可能としている。また、ハウジング４３天面後方には冷気吐出口５５が設けられ、第一の仕切壁１３内に設けられた製氷ダクト５６に接続され、冷凍ファン２９により送出された冷気が製氷皿４０の上部まで導かれる。
【００３４】
図７は、本発明の実施の形態１における製氷状態を示す製氷皿の要部断面図である。
【００３５】
図７において、状態Ａは第一の製氷部４８へ給水を行った直後の状態を示し、状態Ｂは第一の製氷部４８内での製氷完了後の状態を示している。
【００３６】
図８は、本発明の実施の形態１における離氷状態を示す製氷皿の側面断面図である。
【００３７】
図８において、状態Ｃは第一の製氷部４８内での製氷完了後、製氷皿４０を反転させた状態を示し、状態Ｄは製氷皿４０の反転後、第二の製氷部４９へ給水し、第一の製氷部４８内から氷を離氷させている状態を示している。
【００３８】
以上のように構成された冷蔵庫において、以下その動作、作用を説明する。
【００３９】
冷蔵庫１に構成された冷却システム、すなわち、圧縮機２４、凝縮器（図示せず）、キャピラリチューブ（図示せず）、蒸発器２５、及び圧縮機２４を制御する制御基板３４の動作にて蒸発器２５において空気が冷却される。
【００４０】
生成された冷気は、冷凍ファン２９の動作により蒸発器カバー２７の外側に送出される。送出された冷気の内、一部は上方に送出され、風路ダンパー３０を通過し、冷蔵室ダクト３１により冷蔵室棚１６間の空間に分配され吐出される。この時、風路ダンパー３０は制御基板３４によって開閉を制御されており、冷蔵室２内を適切な温度に調整する役割を果たしている。冷蔵室２内の貯蔵物を冷却した冷気は、再び冷蔵室ダクト３１に設けられた吸入口（図示せず）を通り、帰還風路（図示せず）を通り蒸発器２５下部まで導かれ、再び蒸発器２５にて冷却される。
【００４１】
冷凍ファン２９から送出された冷気は、一部が前方に分岐され、冷凍室ダクト２８を通って上段冷凍室４、下段冷凍室５内部に送出される。この冷気により、第一の冷凍ケース１９、第二の冷凍ケース２０、第三の冷凍ケース２１内の貯蔵物が冷却され、庫内を循環した冷気は、冷凍室ダクト２８下部の吸入口を通り蒸発器２５に帰還する。
【００４２】
同じく、冷凍ファン２９から送出された冷気の一部は、野菜室ダクト３２から野菜室６内部に吐出され、第一の野菜ケース２２、第二の野菜ケース２３内の貯蔵物を冷却し、第二の仕切壁１４内に設けられた野菜室帰還風路（図示せず）を通じて蒸発器２５に帰還する。
【００４３】
冷凍ファン２９から上方に送出された冷気の内、さらに一部が製氷ダクト５６を通じて送出され、冷気吐出口５５を通り、製氷装置３６内、さらには製氷室３内部に吐出される。この冷気により製氷皿４０内の水を凍結させ、貯氷ケース１８内部の保存氷を冷却しつつ、冷凍室ダクト２８下部の吸入口から蒸発器２５に帰還する。
【００４４】
次に製氷に関する動作を説明する。
【００４５】
制御基板３４の指示により給水ポンプ３８が動作し、給水タンク３７内の水を給水パイプ３９に向けて送出する。給水パイプ３９を通過した水はハウジング４３天面に設けられた給水溝５３に注がれ、複数の給水口５４を通り第一の製氷部４８内の複数の製氷区画に供給される。この時、複数の給水口５４は、相対する複数の製氷区画に個別に給水され、給水時での隣接する製氷区画間の水の移動はない。
【００４６】
給水後には、製氷メカ４１内のステッピングモータ４５の動作により、製氷皿４０は左右方向に複数回、所定の角度で揺動される。これにより、製氷部内の各製氷区画内の水は各製氷区画間の仕切５２を乗り越え、水量が均一にならされることになる。尚、ステッピングモータ４５による揺動角度は、製氷皿４０の外周部５１から水がこぼれない程度に制御される。
【００４７】
製氷区画内に給水された水は、周囲から熱を奪われて凍結が進行するが、製氷皿４０の第一の製氷区画４７と第二の製氷部４９の間には断熱部５０が設けられており、さらに冷気吐出口５５は製氷皿４０の上方に位置し、冷気は第一の製氷部４８の上方を流れるため
、製氷区画の上方から下方に向けて凍結していく。（図７、状態Ａ）このため、氷は凍結進行に従い下方に凸状態に変形していく。その結果、製氷区画内で若干浮き上がった状態となり、製氷区画内面からの剥離が容易になる。（図７、状態Ｂ）
このようにして第一の製氷部４８内の水が凍結し、何らかの手段により製氷完了を検知すれば、制御基板３４の指示により製氷メカ４１内のステッピングモータ４５が駆動され、製氷皿４０が反転する。（図８、状態Ｃ）
ブラケット６５フリーザ５８  この状態にて再度給水ポンプ３８が動作し、今度は第二の製氷部４９の複数の製氷区画内に給水される。この時、製氷皿４０は冷凍雰囲気下に配置されており、その温度はおおよそ−１８℃〜−２０℃となっている。一方、給水タンク３７は冷蔵雰囲気下に配置されており、給水タンク３７内部の水はおおよそ３℃〜５℃に保たれている。第二の製氷部４９への給水直後の水と製氷皿４０の温度差は、２１Ｋ〜２５Ｋ程度あり、この温度差により第二の製氷部４９は熱膨張する。
【００４８】
一方、第一の製氷部４８は、断熱部５０があることにより給水の熱が伝わりにくく、第二の製氷部４９に比べて熱膨張のタイミングが遅れる。その結果、第二の製氷部４９は上方に凸状態に反り、反対に第一の製氷部４８は下方に凹状態に反ることになる。この下方へ凹状態に変形することにより、第一の製氷部４８の製氷区画内面が変形し、凍結した氷に製氷区画内からの脱氷を促進する力を加えることになる。製氷区画内の氷は、図７、状態Ｂに示すように若干浮き上がっており、製氷区画内面の変形とあいまって下方に離氷され、貯氷ケース１８内に貯蔵される。（図８、状態Ｄ）この製氷動作は自動的に連続して行われるが、貯氷ケース１８内の氷の量は、検氷レバー４２によって定期的に計量されており、規定量に達した場合は製氷動作を一時停止するよう制御される。
【００４９】
このようにして、給水の熱による製氷皿４０の変形を利用して離氷を行うのであるが、給水前、ないし給水後一定時間は冷凍ファン２９の動作を止め、冷気による製氷皿４０の冷却を抑制する。こうすることにより、給水の熱による第二の製氷部４９の熱膨張を確実なものにしている。
【００５０】
また、製氷皿４０を反転させ、第二の製氷部４９に給水した時点で製氷メカ４１を駆動し、製氷皿４０をある一定の角度で複数回にわたって揺動させる。これにより、第一の製氷部４８内の製氷区画にある氷の脱氷を促進する。尚、製氷皿４０の揺動角度は、第二の製氷部４９内の製氷区画に給水した水がこぼれない程度の角度に設定されている。この時、本実施の形態では製氷皿４０の駆動をステッピングモータ４５で行っているため、揺動角度、速度の制御を部品を追加することなく比較的容易に行うことができる。
【００５１】
第一の製氷部４８及び第二の製氷部４９内の複数の製氷区画は、その表面に撥水処理が施されているため、製氷区画内面と凍結した氷との摩擦が少なくなり、氷を製氷区画内面から容易に剥離させることが可能となっている。
【００５２】
以上のように、本実施の形態においては、複数の給水口を備えたハウジングと、製氷皿と、前記製氷皿を回転駆動させる製氷メカと、製氷メカ内に備えられた駆動モータとから構成され、前記複数の給水口からの個別給水を行うことにより、給水のための製氷区画間連結部が不要になり、独立した個別製氷を可能にし、氷が連結したままの離氷を防止できる。
【００５３】
また、本実施の形態においては、前記駆動モータにステッピングモータを用いることにより、前記製氷皿をある一定の角度、回数揺動させることが容易に行え、前記製氷皿内の各製氷区画内の水を均一にし、大きさのそろった製氷を可能にしている。
【００５４】
（実施の形態２）
図９は、本発明の実施の形態２における製氷皿の要部斜視断面図である。
【００５５】
図９において、製氷皿４０は実施の形態１の場合と同様に、複数の製氷区画からなる第一の製氷部４８と、第二の製氷部４９とを備えており、第一の製氷部４８と第二の製氷部４９の間には断熱部５０が設けられている。本実施の形態においては、第一の製氷部４８と第二の製氷部４９内の製氷区画が、回転軸に平行して長手方向に一列に並んでいる。実施の形態１の場合は回転軸に平行して複数列を持っているが、一列に並べることにより、製氷皿４０の回転領域を小さく構成することができ、省スペースな製氷装置を実現することができる。尚、本実施の形態における動作、作用、効果は実施の形態１と同様であるので、説明は省略する。
【００５６】
（実施の形態３）
図１０は、本発明の実施の形態３における製氷皿の要部斜視断面図である。
【００５７】
図１０において、製氷皿４０は実施の形態１の場合と同様に、複数の製氷区画からなる第一の製氷部４８と、第二の製氷部４９を備えている。本実施の形態においては、製氷皿４０は一体で成形されており、内部に空気層を備え、第一の製氷部４８と第二の製氷部４９の間を空気断熱している。尚、製氷皿４０の成形方法としては、樹脂ブロー成形やガスアシスト射出成形等が考えられるが、互いの製氷部間に空気層があればその作用効果に変わりはない。その他に通常の射出成形で成形した二つの製氷皿を貼り合せ、もしくは双方を固定して空気層を形成しても良い。このような成形方法を取ることにより、部品の重量削減、部品点数削減が図れ、簡素で低コストな製氷皿を備えた製氷装置を提供することができる。尚、本実施の形態における動作、作用、効果は実施の形態１と同様であるので、説明は省略する。
【産業上の利用可能性】
【００５８】
以上のように、本発明にかかる冷蔵庫は、独立した氷を確実に離氷できる製氷装置を備えているので、家庭用の冷蔵庫のみならず、業務用の製氷機や、各種工業用の製氷装置等への適用が可能である。
【符号の説明】
【００５９】
１  冷蔵庫
２  冷蔵室
３  製氷室
３５  給水手段
３６  製氷装置
３７  給水タンク
３８  給水ポンプ
３９  給水パイプ
４０  製氷皿
４１  製氷メカ
４２  検氷レバー
４３  ハウジング
４５  ステッピングモータ（駆動モータ）
４８  第一の製氷部
４９  第二の製氷部
５４  複数の給水口
【図１】
2013234811.tif 000003
【図２】
2013234811.tif 000004
【図３】
2013234811.tif 000005
【図４】
2013234811.tif 000006
【図５】
2013234811.tif 000007
【図６】
2013234811.tif 000008
【図７】
2013234811.tif 000009
【図８】
2013234811.tif 000010
【図９】
2013234811.tif 000011
【図１０】
2013234811.tif 000012
【図１１】
2013234811.tif 000013
【図１２】
2013234811.tif 000014
【図１３】
2013234811.tif 000015